(57)【要約】【課題】安定した押鍵操作を行うことができる鍵盤楽器を提供する。【解決手段】鍵のハンマー連結部２４、３４の貫通孔に係合されたハンマー部材４０のハンマーキャップ５１は、天面５３に設けられた溝部５４により両端側に突出する幅広の端部側突出部５５を有している。また、ハンマーキャップ５１の端部側突出部５５とハンマー連結部２４、３４の貫通孔の側方側の内壁２４ｂ、３４ｂとのクリアランスが小さく設定されている。これにより、押鍵操作において、ハンマー連結部２４、３４の貫通孔の上側の内壁２４ａ、３４ａに対して、端部側突出部５５の天面部分が広い面積で接触するとともに、天面５３の湾曲面に沿って摺動する。また、端部側突出部５５は、ハンマー連結部２４、３４の貫通孔の対向する側方側の内壁２４ｂ、３４ｂの一方に対しても摺動する。【選択図】図１１
2020064183.tif 000002
【特許請求の範囲】
【請求項１】
鍵ごとに、一端側に、前記鍵に接触することによって押鍵時に押し下げられる接触部材を有する力点部が設けられ、他端側に、前記押鍵される前記鍵に対して荷重を加える錘部が設けられているハンマー部材を備え、
前記接触部材は、前記押鍵時に前記鍵に接触することがないように上面に前記鍵の長手方向に沿って設けられている溝部と、前記鍵の配列方向における前記溝部の両端側に、前記押鍵時に前記鍵に接触するように前記溝部より上方に突出している両端部と、を有していることを特徴とする鍵盤楽器。
【請求項２】
請求項１に記載の鍵盤楽器において、
前記鍵は、前記押鍵時に前記接触部材の前記両端部を押し下げる押下部を有することを特徴とする鍵盤楽器。
【請求項３】
請求項２に記載の鍵盤楽器において、
前記鍵は、前記押下部における前記鍵の配列方向の中央に、前記鍵の長手方向に沿って連続して突出する鍵側突出部を有することを特徴とする鍵盤楽器。
【請求項４】
請求項３に記載の鍵盤楽器において、
前記接触部材における前記溝部内に、前記押鍵時に前記鍵側突出部と接触する中央突出部を有していることを特徴とする鍵盤楽器。
【請求項５】
請求項４に記載の鍵盤楽器において、
前記接触部材の前記中央突出部は、前記鍵の配列方向に沿って連続して突出し、前記両端部相互を連結することにより、前記溝部を第１溝部と、第２溝部と、に分割することを特徴とする鍵盤楽器。
【請求項６】
請求項４に記載の鍵盤楽器において、
前記接触部材の前記中央突出部は、前記上面における前記鍵の長手方向の一方側の端部に設けられていることを特徴とする鍵盤楽器。
【請求項７】
請求項２から請求項６のいずれかに記載の鍵盤楽器において、
前記接触部材の前記上面は、湾曲面を有し、前記押鍵時に前記鍵の前記押下部が押し下げる前記接触部材の前記両端部の位置が変化することを特徴とする鍵盤楽器。
【請求項８】
請求項１から請求項７のいずれかに記載の鍵盤楽器において、
前記鍵は、白鍵又は黒鍵であって、
前記白鍵に対応する前記ハンマー部材に用いられる前記接触部材と、前記黒鍵に対応する前記ハンマー部材に用いられる前記接触部材とは、異なる形状を有していることを特徴とする鍵盤楽器。
【発明の詳細な説明】
【技術分野】
【０００１】
この発明は、電子ピアノ等の鍵盤装置を備えた鍵盤楽器に関する。
【背景技術】
【０００２】
従来、電子ピアノ等の電子鍵盤楽器においては、アコースティックピアノと同様の鍵盤の操作感を実現するため、例えば特許文献１に記載されているような鍵盤装置が知られている。この鍵盤装置においては、鍵盤シャーシ上に上下方向に回動可能に支持された鍵（白鍵、黒鍵）と、鍵への押鍵操作に連動して回動し、鍵にアクション荷重を付与するハンマー部材とを有し、鍵とハンマー部材との連結部において、鍵側に設けられた突起部がハンマー部材側に取り付けられた連結部材（又は受け部材）の凹部底面に摺接して移動する構造を有している。ここで、連結部材（又は受け部材）は、連結部における摺接に起因する摩耗やノイズの発生を抑制するために、可撓性材料が用いられている。
【先行技術文献】
【特許文献】
【０００３】
【特許文献１】特開２０１２−１４５７２８号公報
【発明の概要】
【発明が解決しようとする課題】
【０００４】
上述したような構造を有する鍵盤装置においては、鍵側の突起部の先端のみがハンマー部材側の連結部材の一面（凹部底面）に常時摺接して移動するため、可撓性を有する連結部材が摩擦により摩耗したり、押鍵時の強い衝撃により変形や脱落したりして、ハンマー部材が正常に回動せず、押鍵時の異常な振動や異音の発生等の不具合の原因になる場合があった。
【０００５】
そこで、本発明は、押鍵時の不具合の発生を抑制して安定した押鍵操作を行うことができる鍵盤楽器を提供することを目的とする。
【課題を解決するための手段】
【０００６】
本発明に係る鍵盤楽器は、
鍵ごとに、一端側に、前記鍵に接触することによって押鍵時に押し下げられる接触部材を有する力点部が設けられ、他端側に、前記押鍵される前記鍵に対して荷重を加える錘部が設けられているハンマー部材を備え、
前記接触部材は、前記押鍵時に前記鍵に接触することがないように上面に前記鍵の長手方向に沿って設けられている溝部と、前記鍵の配列方向における前記溝部の両端側に、前記押鍵時に前記鍵に接触するように前記溝部より上方に突出している両端部と、を有していることを特徴とする。
【発明の効果】
【０００７】
この発明によれば、安定した押鍵操作を行うことができる。
【図面の簡単な説明】
【０００８】
【図１】本発明に係る鍵盤楽器の第１の実施形態を示す外観図である。
【図２】第１の実施形態に係る鍵盤楽器に適用される鍵盤ユニットの一例を示す概略図である。
【図３】第１の実施形態に係る鍵盤楽器に適用される白鍵の鍵盤機構を示す概略断面図である。
【図４】第１の実施形態に係る鍵盤楽器に適用される黒鍵の鍵盤機構を示す概略断面図である。
【図５】第１の実施形態に係る鍵盤楽器に適用される白鍵を示す概略図である。
【図６】第１の実施形態に係る鍵盤楽器に適用される黒鍵を示す概略図である。
【図７】第１の実施形態に係る鍵盤楽器に適用されるハンマーユニットを示す概略図である。
【図８】第１の実施形態に係る鍵盤楽器に適用されるハンマー部材を示す概略図である。
【図９】第１の実施形態に係る鍵盤楽器に適用される白鍵用のハンマーキャップを示す概略図である。
【図１０】第１の実施形態に係る鍵盤楽器に適用される黒鍵用のハンマーキャップを示す概略図である。
【図１１】第１の実施形態に係る鍵盤楽器に適用されるハンマー部材と鍵との連結構造を示す概略図である。
【図１２】第２の実施形態に係る鍵盤楽器に適用されるハンマーキャップを示す概略図である。
【図１３】第２の実施形態に係る鍵盤楽器に適用される白鍵の鍵盤機構を示す概略断面図である。
【図１４】第２の実施形態に係る鍵盤楽器に適用される黒鍵の鍵盤機構を示す概略断面図である。
【図１５】第２の実施形態に係る鍵盤楽器に適用されるハンマー部材と鍵との連結状態を示す概略図である。
【発明を実施するための形態】
【０００９】
以下、本発明を実施するための形態について、図面を参照しながら詳しく説明する。
＜第１の実施形態＞
（鍵盤楽器）
図１は、本発明に係る鍵盤楽器の第１の実施形態を示す外観図である。また、図２は、本実施形態に係る鍵盤楽器に適用される鍵盤ユニットの一例を示す概略図である。ここでは、鍵盤楽器の一例として電子ピアノを示して説明するが、ユーザ（演奏者）の押鍵操作に応じて楽音を発音するものであれば他の電子鍵盤楽器であってもよい。
【００１０】
本発明に係る鍵盤楽器１００の外観は、例えば図１に示すように、楽器本体１０２に対してユーザ側となる一面側（図面手前側）の上部に、演奏操作子としての複数の鍵を有し、音高を指定するための鍵盤ユニット１０４と、鍵盤ユニット１０４の後方側（図面奥側）にあって、図示を省略したスピーカ等が収納される楽器本体１０２の上面を覆う天板１０６と、天板１０６に付設された譜面台１０８と、ユーザの足下となる楽器本体１０２の下部に、主に押鍵時の音の響きを調整するためのピアノペダル１１０と、を備えている。なお、図示を省略したが、鍵盤楽器１００は、鍵盤ユニット１０４の周辺に、音量調整や音色選択等の操作を行うためのスイッチ類や、演奏中の楽曲に関する情報や各種の設定情報等を表示するための表示パネル等が配置されているものであってもよい。
【００１１】
鍵盤ユニット１０４は、図１、図２に示すように、鍵盤楽器１００の左右方向（図面左右方向；鍵の配列方向）に複数の白鍵２０及び黒鍵３０が所定の順序で規則的に配列されている。ここでは、鍵盤ユニット１０４は、合計８８個の白鍵２０及び黒鍵３０が配列されている。鍵盤ユニット１０４の後方側（図面奥側）は、楽器本体１０２の内部に収納され、楽器本体１０２から露出した前方側（図面手前側）の領域がユーザによる押鍵操作が行われる領域となる。なお、本願明細書においては、「鍵」と記載した場合には、特に言及しない限り白鍵及び黒鍵に共通する事項を指す。また、以降の説明では白鍵について詳しく説明し、黒鍵について白鍵と同等又は同一の構成や動作を有する場合にはその説明を簡略化又は省略する。
【００１２】
図３は、本実施形態に係る鍵盤楽器に適用される白鍵の鍵盤機構を示す概略断面図であり、図４は、本実施形態に係る鍵盤楽器に適用される黒鍵の鍵盤機構を示す概略断面図である。ここで、図３（ａ）、図４（ａ）は、押鍵操作を行っていない初期状態を示す図であり、図３（ｂ）、図４（ｂ）は、押鍵操作を行っている状態を示す図である。
【００１３】
鍵盤ユニット１０４の白鍵２０は、例えば図３に示すような鍵盤機構を有し、また、黒鍵３０は、例えば図４に示すような鍵盤機構を有している。白鍵２０及び黒鍵３０の鍵盤機構は、具体的には図３及び図４に示すように、白鍵２０及び黒鍵３０が上下方向に回動可能に取り付けられた共通の鍵盤シャーシ１０と、鍵盤シャーシ１０に取り付けられた白鍵２０及び黒鍵３０のそれぞれに対する押鍵操作に伴ってアクション荷重を付与するためのハンマーユニット１２と、白鍵２０及び黒鍵３０に対する押鍵操作に応じてオン動作するスイッチ部１４と、を備えている。ここで、鍵盤ユニット１０４のうちの白鍵２０及び黒鍵３０以外は、楽器本体１０２の内部に収納されている。
【００１４】
白鍵２０が取り付けられる鍵盤シャーシ１０の部分には、図３（ａ）、（ｂ）に示すように、ユーザ側となる前端部（図面右端部）に、鍵盤シャーシ１０の底部から図面上方の白鍵２０に向かって突出する前脚部２０２が設けられている。この前脚部２０２の上部には、白鍵２０の回動時に鍵の配列方向（図の紙面に垂直方向）への横振れを防ぐための白鍵ガイド部２０４が各白鍵２０に対応して設けられている。また、鍵盤シャーシ１０の前脚部２０２の前方側（図面右方側）の上部及び下部には、白鍵２０への押鍵操作に応じて、白鍵２０が回動する際の上限位置及び下限位置を規制するための上限ストッパ部２０６及び下限ストッパ部２０８が設けられている。また、鍵盤シャーシ１０の前脚部２０２の後方側（図面左方側）には、前脚部２０２と同等の高さで鍵盤シャーシ１０の底部から突出するように、後述するハンマーユニット１２が取り付けられるユニット取付け部２１０が設けられている。
【００１５】
また、鍵盤シャーシ１０のユニット取付け部２１０の後方側（図面左方側）には、基板取付け部２１２が設けられ、白鍵２０への押鍵操作に応じてオン動作するスイッチ部１４を搭載した発音用基板２１４が基板取付け部２１２に取り付けられている。ここで、発音用基板２１４は、複数配列されている白鍵２０及び黒鍵３０に対して共通に設けられ、発音用基板２１４上には各白鍵２０及び黒鍵３０に個別に対応するようにスイッチ部１４が複数搭載されている。また、発音用基板２１４には、白鍵２０への押鍵操作に応じてオン動作したスイッチ部１４から出力されるオン信号に基づいて楽音情報を生成し、この楽音情報に基づいて楽器本体１０２の内部に収納されたスピーカから楽音を発音させる発音部（図示を省略）が設けられている。
【００１６】
また、鍵盤シャーシ１０の基板取付け部２１２のさらに後方側（図面左方側）には、白鍵取付け部２１６が設けられ、白鍵２０の後端部（図面左端部）が、白鍵２０を上下方向に回動可能に支持する支持軸２１８を介して白鍵取付け部２１６に取り付けられている。
【００１７】
また、鍵盤シャーシ１０の白鍵取付け部２１６の後方側（図面左方側）の後端部（図面左端部）には、白鍵取付け部２１６が設けられた鍵盤シャーシ１０の上部から底部に向けて垂下する後脚部２２０が設けられている。この後脚部２２０の上部及び下部には、白鍵２０への押鍵操作に応じて後述するハンマーユニット１２のハンマー部材４０が回動する際の上限位置及び下限位置を規制するための上限ストッパ部２２２及び下限ストッパ部２２４が設けられている。上述した鍵盤シャーシ１０の前脚部２０２に設けられる上限ストッパ部２０６及び下限ストッパ部２０８、並びに、後脚部２２０に設けられる上限ストッパ部２２２及び下限ストッパ部２２４は、例えばフェルト等の弾性部材が適用される。
【００１８】
一方、黒鍵３０が取り付けられる鍵盤シャーシ１０の部分には、図４（ａ）、（ｂ）に示すように、図３（ａ）、（ｂ）に示した鍵盤シャーシ１０のユニット取付け部２１０の上部に、黒鍵３０の回動時に鍵の配列方向（図の紙面に垂直方向）への横振れを防ぐための黒鍵ガイド部２３２が各黒鍵３０に対応して設けられている。なお、鍵盤シャーシ１０のユニット取付け部２１０の後方側（図面左方側）に設けられる基板取付け部２１２や発音用基板２１４、及び、鍵盤シャーシ１０の後端部（図面左端部）に設けられる後脚部２２０や上限ストッパ部２２２、下限ストッパ部２２４は、図３（ａ）、（ｂ）に示した鍵盤シャーシ１０と同等又は同一である。
【００１９】
また、鍵盤シャーシ１０の基板取付け部２１２の後方側（図面左方側）には、黒鍵取付け部２３４が設けられ、図３（ａ）、（ｂ）に示した鍵盤シャーシ１０と同様に、黒鍵３０の後端部（図面左端部）が、黒鍵３０を上下方向に回動可能に支持する支持軸２３６を介して黒鍵取付け部２３４に取り付けられている。ここで、白鍵取付け部２１６及び黒鍵取付け部２３４は、複数配列されている白鍵２０及び黒鍵３０の配列方向（図の紙面に垂直方向）に沿って等間隔で個別に設けられている。
【００２０】
図５は、本実施形態に係る鍵盤楽器に適用される白鍵を示す概略図であり、図６は、本実施形態に係る鍵盤楽器に適用される黒鍵を示す概略図である。ここで、図５（ａ）、図６（ａ）は、鍵の斜視図であり、図５（ｂ）、図６（ｂ）は、鍵の断面図である。
【００２１】
白鍵２０は、図３及び図５に示すように、ユーザにより押鍵操作される上面２１がユーザ側となる前方側（図３、図５（ｂ）の右方側、図５（ａ）の手前側）から楽器本体１０２の内部側となる後方側（図３、図５（ｂ）の左方側、図５（ａ）の奥側）に向かって延在し、後端部（図３、図５（ｂ）の左端部、図５（ａ）の奥側端部）が、白鍵２０を上下方向に回動可能に支持する支持軸２１８を介して鍵盤シャーシ１０の白鍵取付け部２１６に取り付けられている。
【００２２】
白鍵２０が延在する長手方向（図３、図５（ｂ）の左右方向）の中央から後方寄り（図３、図５（ｂ）の左方寄り）には、白鍵２０への押鍵操作の際に、鍵盤シャーシ１０の基板取付け部２１２に取り付けられたスイッチ部１４を押圧してオン動作させるためのスイッチ押圧部２２が白鍵２０の下面側から図面下方の鍵盤シャーシ１０に向かって突出して設けられている。
【００２３】
また、白鍵２０のスイッチ押圧部２２の前方側（図３、図５（ｂ）の右方側）には、貫通孔を有するハンマー連結部２４を備えたハンマー押圧部２３が白鍵２０の下面側から図面下方の鍵盤シャーシ１０に向かって突出して設けられている。ハンマー連結部２４の貫通孔には、上側の内壁における鍵の配列方向（図３、図５（ｂ）の紙面に垂直方向）の中央付近に、貫通孔の貫通方向（鍵の長手方向）に沿って連続して突出する鍵側突出部２９が設けられている。そして、ハンマー連結部２４の貫通孔には、後述するハンマーユニット１２のハンマー部材４０の力点部である鍵連結部５０が挿入されて、貫通孔の内壁に摺接するように係合されている。
【００２４】
また、白鍵２０の前端部（図３、図５（ｂ）の右端部、図５（ａ）の手前側端部）には、白鍵２０の上面２１から図面下方の鍵盤シャーシ１０に向かって突出する前脚部２５が設けられている。この前脚部２５には、押鍵操作に応じて白鍵２０が回動する際に横振れを防ぐために設けられた鍵盤シャーシ１０の白鍵ガイド部２０４に摺接するガイド面２６と、回動する白鍵２０の上限位置及び下限位置を規制するための鍵盤シャーシ１０の上限ストッパ部２０６及び下限ストッパ部２０８に当接するストッパ面２７、２８とが設けられている。
【００２５】
一方、黒鍵３０は、図４及び図６に示すように、押鍵操作される上面３１が前方側（図４、図６（ｂ）の右方側、図６（ａ）の手前側）から後方側（図４、図６（ｂ）の左方側、図６（ａ）の奥側）に向かって延在し、後端部（図４、図６（ｂ）の左端部、図６（ａ）の奥側端部）が、黒鍵３０を上下方向に回動可能に支持する支持軸２３６を介して鍵盤シャーシ１０の黒鍵取付け部２３４に取り付けられている。
【００２６】
黒鍵３０が延在する長手方向（図４、図６（ｂ）の左右方向）の中央付近には、黒鍵３０への押鍵操作の際に、鍵盤シャーシ１０の基板取付け部２１２に取り付けられたスイッチ部１４を押圧してオン動作させるためのスイッチ押圧部３２が黒鍵３０の下面側から図面下方の鍵盤シャーシ１０に向かって突出して設けられている。
【００２７】
また、黒鍵３０の前端部（図４、図６（ｂ）の右端部、図６（ａ）の手前側端部）には、黒鍵３０の上面３１から図面下方の鍵盤シャーシ１０に向かって突出するハンマー押圧部３３が設けられている。このハンマー押圧部３３には、貫通孔を有するハンマー連結部３４と、押鍵操作に応じて黒鍵３０が回動する際に横振れを防ぐために設けられた鍵盤シャーシ１０の黒鍵ガイド部２３２に摺接するガイド面３５とが設けられている。ハンマー連結部３４の貫通孔には、上側の内壁における鍵の配列方向（図４、図６（ｂ）の紙面に垂直方向）の中央付近に、貫通孔の貫通方向（鍵の長手方向）に沿って連続して突出する鍵側突出部３６が設けられている。そして、ハンマー連結部３４の貫通孔には、後述するハンマーユニット１２のハンマー部材４０の力点部である鍵連結部５０が挿入されて、貫通孔の内壁に摺接するように係合されている。
ここで、白鍵２０及び黒鍵３０は、例えばＡＢＳ樹脂（アクリロニトリル、ブタジエン、スチレン共重合合成樹脂）等の合成樹脂部材が適用される。
【００２８】
図７は、本実施形態に係る鍵盤楽器に適用されるハンマーユニットを示す概略図であり、図８は、本実施形態に係る鍵盤楽器に適用されるハンマー部材を示す概略図である。ここで、図８（ａ）、（ｂ）は、白鍵用のハンマー部材を示す図であり、図８（ｃ）、（ｄ）は、黒鍵用のハンマー部材を示す図である。また、図９は、本実施形態に係る鍵盤楽器に適用される白鍵用のハンマーキャップを示す概略図であり、図１０は、本実施形態に係る鍵盤楽器に適用される黒鍵用のハンマーキャップを示す概略図である。ここで、図９（ａ）、図１０（ａ）は、ハンマーキャップの斜視図であり、図９（ｂ）、図１０（ｂ）は、ハンマーキャップの側面図及び断面図である。
【００２９】
ハンマーユニット１２は、図３、図４、図７に示すように、複数の白鍵２０及び黒鍵３０のそれぞれに対する押鍵操作に応じて回動して各鍵にアクション荷重を付与する複数のハンマー部材４０と、複数配列される白鍵２０及び黒鍵３０に対して共通に設けられ、各鍵に対応するハンマー部材４０を支持軸４２を介してそれぞれ回動可能に支持するハンマーホルダ６０と、を備えている。ハンマーホルダ６０は、鍵盤シャーシ１０のユニット取付け部２１０の下面側に取り付けられている。
【００３０】
ハンマー部材４０は、図７、図８（ａ）、（ｃ）に示すように、金属材料からなるハンマー本体４４と、ハンマー本体４４の一端側（図８右端側）に設けられた力点部である鍵連結部５０と、ハンマー本体４４の他端側（図８左端側）に設けられた荷重点部である錘部４６と、ハンマー本体４４の錘部４６と鍵連結部５０との間に設けられ、ハンマー本体４４を回動可能に支持する支持軸４２と、を備えている。ここで、ハンマー部材４０は、図７、図８（ａ）、（ｃ）に示すように、白鍵用と黒鍵用とで略同等の外観を有しているが、白鍵２０と黒鍵３０の押鍵時の特性等に応じて、支持軸４２から錘部４６や鍵連結部５０までの寸法や形状等が若干異なるように設計されている。
【００３１】
ハンマー部材４０の錘部４６は、図７、図８に示すように、錘部４６と支持軸４２との間のハンマー本体４４に比較して、鍵の配列方向から見た平面形状、及び、鍵の配列方向の厚みが大きくなるように形成されていることにより、鍵に所定のアクション荷重を付与するための重量が設定されている。
【００３２】
ハンマー部材４０の鍵連結部５０は、図８に示すように、ハンマー本体４４の一端側のキャップ取付け部４８を覆うようにハンマーキャップ（接触部材）５１が取り付けられている。ハンマーキャップ５１は、鍵連結部５０が係合されるハンマー連結部２４、３４を有する白鍵２０及び黒鍵３０よりも高い弾性を有するエラストマーやシリコン等の弾性部材が適用される。ここで、ハンマーキャップ５１は、図８（ｂ）、（ｄ）、図９、図１０に示すように、白鍵用と黒鍵用とで略同等の外観を有しているが、白鍵２０と黒鍵３０の押鍵時の特性等に応じて、外観形状や寸法等が若干異なるように設計されている。また、ハンマー本体４４のキャップ取付け部４８は、図８（ｂ）、（ｄ）に示すように、ハンマーキャップ５１が取り付けられる先端部分が、後述するハンマーキャップ５１の天面５３方向（図面上方向）にＬ字状に屈曲した形状を有している。
【００３３】
ハンマーキャップ５１は、具体的には図９、図１０に示すように、ハンマー本体４４のキャップ取付け部４８が挿入されて装着固定される開口部５２と、白鍵２０又は黒鍵３０のハンマー押圧部２３、３３に設けられるハンマー連結部２４、３４の貫通孔の上側の内壁に接触する天面（図面上面）５３と、天面５３の鍵の配列方向（図９（ｂ）、図１０（ｂ）の左図及び右図の左右方向）の中央領域に、天面５３の鍵の長手方向に沿って設けられた溝部５４と、天面５３の溝部５４に沿って溝部５４よりも上方に突出して設けられた端部側突出部（両端部）５５と、ハンマー連結部２４、３４の貫通孔の下側の内壁に接触する底面に設けられた底面突出部５６と、を備えている。
【００３４】
ハンマーキャップ５１の開口部５２は、図９（ｂ）、図１０（ｂ）の断面図に示すように、ハンマー本体４４のキャップ取付け部４８の形状に対応し、ハンマーキャップ５１をキャップ取付け部４８に取り付けた状態でキャップ取付け部４８の先端部分が係止される内部形状を有している。天面５３は、図９、図１０に示すように、外方（図面上方）に突出した湾曲面を有し、溝部５４は、天面５３の湾曲面に沿って天面５３よりも窪んだ連続する凹部により形成されている。また、端部側突出部５５は、図９（ｂ）、図１０（ｂ）に示すように、天面５３において溝部５４の鍵の配列方向に隣接する両端側に、溝部５４よりも上方（図９（ｂ）、図１０（ｂ）の中央図の湾曲する天面５３に対して法線方向）に突出するとともに、ハンマーキャップ５１の鍵の配列方向（図９（ｂ）、図１０（ｂ）の左図及び右図の左右方向）に突出し、図９（ａ）、図１０（ａ）に示すように、天面５３の湾曲面に沿って連続する突出部により形成されている。底面突出部５６は、図９（ｂ）、図１０（ｂ）示すように、ハンマーキャップ５１の底面（下面）において鍵の配列方向の中央領域から突出し、ハンマー連結部２４、３４の貫通孔の貫通方向（鍵の長手方向）に連続する突出部により形成されている。
【００３５】
図１１は、本実施形態に係る鍵盤楽器に適用されるハンマー部材と鍵との連結構造を示す概略図である。ここで、図１１（ａ）、（ｂ）は、白鍵側の連結構造を示す平面図及び断面図であり、図１１（ａ）、（ｂ）は、黒鍵側の連結構造を示す平面図及び断面図である。
【００３６】
上述したような形状を有するハンマー部材４０の鍵連結部５０と白鍵２０又は黒鍵３０のハンマー連結部２４、３４との連結構造は、図１１に示すように、ハンマー連結部２４、３４の貫通孔にハンマー部材４０の一端側のハンマーキャップ５１が挿入されて係合されている。ここで、ハンマーキャップ５１の天面５３には、鍵の配列方向の中央領域に天面５３の湾曲面に沿って鍵の長手方向に溝部５４が設けられていることにより、天面５３の溝部５４の両端側が溝部５４よりも上方に相対的に突出した端部側突出部５５が設けられている。また、端部側突出部５５は、鍵の配列方向（図１１（ａ）、（ｃ）の左右方向）にも突出して設けられていることにより、端部側突出部５５の天面部分が幅広に形成されている。また、ハンマーキャップ５１の底面には、ハンマー連結部２４、３４の貫通孔の貫通方向に連続して突出する底面突出部５６が設けられている。
【００３７】
これにより、ハンマーキャップ５１の端部側突出部５５の天面部分がハンマー連結部２４、３４の貫通孔の上側の内壁２４ａ、３４ａに対して広い面積を有して接触する。また、ハンマーキャップ５１の端部側突出部５５の天面部分に隣接する側面部分とハンマー連結部２４、３４の貫通孔の側方（鍵の配列方向）側の内壁２４ｂ、３４ｂとのクリアランス（間隙）が小さく設定され、両者が極めて近接した状態、又は、端部側突出部５５の側面部分が当該内壁２４ｂ、３４ｂのいずれか一方に接触した状態に保持されている。また、ハンマーキャップ５１の底面突出部５６がハンマー連結部２４、３４の貫通孔の下側の内壁２４ｃ、３４ｃに対して底面突出部５６の突出頂点である線状又は点状領域の狭い面積で接触する。
【００３８】
次に、上述したような鍵盤機構を備えた鍵盤楽器の動作について、図３、図４を参照して説明する。
ユーザが白鍵２０及び黒鍵３０の押鍵操作を行っていない状態（初期状態）においては、図３（ａ）、図４（ａ）に示すように、ハンマー部材４０が荷重点部である錘部４６の重量によって支持軸４２を中心に反時計回りに回動するように付勢されて、ハンマー部材４０の錘部４６が鍵盤シャーシ１０に設けられた下限ストッパ部２２４に当接して下限位置が規制される。また、ハンマー部材４０の鍵連結部５０が鍵のハンマー押圧部２３、３３を押し上げることにより、白鍵２０及び黒鍵３０を上限位置である初期位置に規制する。ここで、白鍵２０の上限位置は、ハンマー部材４０の錘部４６が下限ストッパ部２２４の上面に当接するとともに、白鍵２０の前脚部２５のストッパ面２７が鍵盤シャーシ１０の上限ストッパ部２０６の下面に当接した位置に規制される。黒鍵３０の上限位置は、ハンマー部材４０の錘部４６が下限ストッパ部２２４の上面に当接した位置に規制される。
【００３９】
この状態においては、鍵連結部５０のハンマーキャップ５１の端部側突出部５５の天面部分が、ハンマー連結部２４、３４の貫通孔の上側の内壁２４ａ、３４ａに接触した状態が保持される。また、鍵の下面側に設けられたスイッチ押圧部２２、３２が、鍵盤シャーシ１０に取り付けられたスイッチ部１４に対して上方の位置に離間した状態が保持される。
【００４０】
次いで、ユーザが白鍵２０又は黒鍵３０を指で押して押鍵操作を行った状態においては、図３（ｂ）、図４（ｂ）に示すように、白鍵２０又は黒鍵３０が支持軸２１８、２３６を中心に時計回りに回動する。これにより、ハンマー部材４０の鍵連結部５０が鍵のハンマー押圧部２３、３３により荷重点部である錘部４６の重量に抗して押し下げられて、ハンマー部材４０が支持軸４２を中心に時計回りに回動して錘部４６が上昇するとともに、鍵にアクション荷重が付与される。このとき、ハンマー部材４０の鍵連結部５０のハンマーキャップ５１は、ハンマー押圧部２３、３３が下方に押し下げられることにより、ハンマー連結部２４、３４の貫通孔内で摺動する。また、この押鍵操作においては、白鍵２０又は黒鍵３０の鍵の配列方向の横振れが白鍵ガイド部２０４、黒鍵ガイド部２３２により規制されて、白鍵２０又は黒鍵３０が上下方向に移動する。
【００４１】
そして、押鍵操作に伴ってハンマー部材４０の鍵連結部５０が鍵のハンマー押圧部２３、３３によりさらに押し下げられると、ハンマー部材４０の錘部４６がさらに上昇して鍵盤シャーシ１０に設けられた上限ストッパ部２２２に当接することによりハンマー部材４０の回動が停止して上限位置が規制されるとともに、白鍵２０及び黒鍵３０の下限位置が規制される（鍵下限状態）。ここで、白鍵２０の下限位置は、ハンマー部材４０の錘部４６が上限ストッパ部２２２の下面に当接し、さらに白鍵２０が押し下げられて白鍵２０の前脚部２５のストッパ面２８が鍵盤シャーシ１０の下限ストッパ部２０８の上面に当接した位置に規制される。黒鍵３０の下限位置は、ハンマー部材４０の錘部４６が上限ストッパ部２２２の下面に当接した位置に規制される。なお、本実施形態に示した鍵盤機構においては、鍵への押鍵操作によりハンマー部材４０が支持軸４２を中心に回動する際に、慣性モーメントによって鍵にアクション荷重を付与するために、ハンマー部材４０は、支持軸４２よりも錘部４６側のハンマー本体４４の長さが鍵連結部５０側よりも十分に長くなるように設定されている。
【００４２】
この押鍵操作において、ハンマー部材４０の錘部４６が上限ストッパ部２２２に当接するまでの間に、鍵盤シャーシ１０に取り付けられたスイッチ部１４が鍵のスイッチ押圧部２２、３２により押圧されることにより、スイッチ部１４がオン動作してスイッチ信号を出力すると、楽音情報が生成されてスピーカから楽音の発音が開始される。
【００４３】
その後、ユーザが白鍵２０又は黒鍵３０から指を離して押鍵操作を終了した場合には、ハンマー部材４０が錘部４６の重量によって支持軸４２を中心に反時計回りに回動して、ハンマー部材４０の鍵連結部５０が鍵のハンマー押圧部２３、３３を押し上げ、錘部４６が下限ストッパ部２２４の上面に当接することにより、白鍵２０及び黒鍵３０が上限位置である初期位置に再び規制される。
【００４４】
このような白鍵２０及び黒鍵３０の押鍵操作において、鍵のハンマー連結部２４、３４の貫通孔に係合されたハンマー部材４０のハンマーキャップ５１は、天面５３の湾曲面に沿って設けられた溝部５４により両端側に突出する幅広の端部側突出部５５を有しているので、ハンマー連結部２４、３４の貫通孔の上側の内壁２４ａ、３４ａに対して、端部側突出部５５の天面部分が広い面積で接触して押し下げられるとともに、当該接触位置が天面５３の湾曲面に沿って変化しながら摺動する。また、ハンマーキャップ５１の端部側突出部５５とハンマー連結部２４、３４の貫通孔の側方側の内壁２４ｂ、３４ｂとのクリアランスが小さく設定されているので、端部側突出部５５は、側面部分においてもハンマー連結部２４、３４の貫通孔内で対向する側方側の内壁２４ｂ、３４ｂの一方に対して摺動する。また、ハンマーキャップ５１は、底面に連続して突出する底面突出部５６を有しているので、ハンマー連結部２４、３４の貫通孔の下側の内壁２４ｃ、３４ｃに対して、狭い面積で接触しながら摺動する。
【００４５】
このように、本実施形態においては、ハンマー連結部２４、３４の貫通孔内で、ハンマー部材４０の鍵連結部５０のハンマーキャップ５１を、湾曲面を有する天面５３において端部側突出部５５により広い面積で接触させるとともに、側面におけるクリアランスを小さくして安定して摺動させることができ、また、底面において底面突出部５６により狭い面積で接触させて大きな摩擦抵抗が生じないようにして円滑に摺動させることができる。これにより、ハンマー部材４０と鍵との連結状態を良好に保持して回動させることができ、押鍵時の異常な振動や異音等の不具合の発生を抑制しつつ、ハンマー部材４０の回動時における横ブレを抑制して押鍵操作に伴う力を適切にハンマー部材４０に伝達することができる。
【００４６】
また、本実施形態においては、ユーザが鍵を強打した場合等においても、弾性部材からなるハンマーキャップ５１に設けられた溝部５４の両端側に突出する端部側突出部５５により衝撃が吸収又は緩和されるので、ハンマーキャップ５１の変形や回転、脱落等を抑制することができる。特に、ハンマーキャップ５１が取り付けられるハンマー本体４４のキャップ取付け部４８の先端部分がハンマーキャップ５１の天面５３方向にＬ字状に屈曲した形状を有しているので、ハンマーキャップ５１に変形が生じた場合であっても回転や脱落等を良好に防止することができる。
【００４７】
また、本実施形態においては、ハンマー部材４０のハンマーキャップ５１の天面５３に溝部５４を設けるとともに、鍵の配列方向に突出させた端部側突出部５５を有しているので、ハンマーキャップ５１の成形材料の使用量を増やすことなく、ハンマー連結部２４、３４の貫通孔内での摺動による摩擦を抑制しつつ、幅広の天面５３を有するハンマーキャップ５１を実現することができる。また、天面５３の溝部５４の両端側に幅広の端部側突出部５５が形成されているので、ハンマーキャップ５１の天面５３のクッション性（弾力性）が増してハンマー部材４０にしなりを生じさせて、ハンマー部材４０の慣性モーメントを上げることができる。
【００４８】
また、本実施形態においては、ハンマーキャップ５１の天面５３に設けられた溝部５４に潤滑剤を充填、保持することにより潤滑剤溜まりとして適用することができる。さらに、ハンマー部材４０のハンマーキャップ５１がハンマー連結部２４、３４の貫通孔内で摺動する際に、貫通孔の上側の内壁２４ａ、３４ａから突出する鍵側突出部２９、３６が溝部５４内を移動して、溝部５４に保持された潤滑剤を掻き分けることにより、溝部５４に隣接する端部側突出部５５に適切に潤滑剤を補給、浸透させることができ、ハンマーキャップ５１の摩耗を抑制しつつ、ハンマーキャップ５１を円滑に摺動させることができる。ここで、鍵側突出部２９、３６とハンマーキャップ５１の溝部５４の内壁とのクリアランスを、ハンマーキャップ５１の端部側突出部５５の側面部分とハンマー連結部２４、３４の貫通孔の内壁２４ｂ、３４ｂとのクリアランスよりも大きく設定することにより、鍵側突出部２９、３６を溝部５４の内壁に接触することなく移動させることができるので、摩擦による摩耗や抵抗によってハンマーキャップ５１の摺動が妨げられることがない。
【００４９】
なお、本実施形態においては、ハンマーキャップ５１の天面５３に鍵の配列方向に突出した端部側突出部５５が設けられているが、鍵盤ユニット１０４の組付け時にハンマー部材４０の鍵連結部５０をハンマー連結部２４、３４の貫通孔に良好に挿入して係合させるために、図９（ａ）及び図９（ｂ）の右図、又は、図１０（ａ）及び図１０（ｂ）の右図に示すように、貫通孔への挿入方向（図面手前方向）に向けて端部側突出部５５の幅寸法（鍵の配列方向への突出寸法）が小さくなるテーパ形状を適用するものであってもよい。
【００５０】
＜第２の実施形態＞
次に、本発明に係る鍵盤楽器の第２の実施形態について説明する。ここで、上述した第１の実施形態と同等の構成や動作についてはその説明を簡略化する。
図１２は、第２の実施形態に係る鍵盤楽器に適用されるハンマーキャップを示す概略図である。
【００５１】
上述した第１の実施形態においては、鍵の押鍵操作に応じて、ハンマー部材４０のハンマーキャップ５１が鍵のハンマー連結部２４、３４の貫通孔内で摺動する際に、貫通孔内に突出して設けられた鍵側突出部２９、３６をハンマーキャップ５１の溝部５４の内壁に接触させることなく移動させる形態について説明した。第２の実施形態においては、ハンマーキャップ５１の溝部５４内に突出部が設けられ、ハンマーキャップ５１がハンマー連結部２４、３４の貫通孔内で摺動する際に、所定のタイミングで鍵側突出部２９、３６と溝部５４内の突出部とが所定の抵抗を有して接触する形態を有している。
【００５２】
本実施形態においては、ハンマー部材４０のハンマーキャップ５１は、図１２に示すように、上述した第１の実施形態に示したハンマーキャップと同等の構成に加え、天面５３の鍵の長手方向（又は、天面５３の湾曲方向）に沿って設けられた溝部（第１の実施形態に示した溝部５４に対応し、本実施形態では端部側突出部５５間にあって、後述する溝部突出部５７が設けられる溝部全体を指す；便宜的に「溝部５４」と記す）内に、溝部５４の両端側に形成される端部側突出部５５相互を、鍵の配列方向（図１２（ｂ）、（ｄ）の紙面に垂直方向）に連結するように突出する溝部突出部（中央突出部）５７を備えている。これにより、天面５３に設けられた溝部５４が溝部突出部５７により２つに分割されて、鍵の長手方向に沿って溝部（第１溝部）５４ａと溝部（第２溝部）５４ｂとが形成されている。
【００５３】
具体的には、白鍵用のハンマーキャップ５１においては、例えば図１２（ａ）、（ｂ）に示すように、溝部５４ａ、５４ｂのそれぞれの大きさが略同等になるように、溝部突出部５７の位置が設定されている。また、黒鍵用のハンマーキャップ５１においては、例えば図１２（ｃ）、（ｄ）に示すように、溝部５４ｂが溝部５４ａよりも大きくなるように、溝部突出部５７の位置が設定されている。又は、溝部５４ａがなく溝部５４ｂのみが形成されるように、溝部突出部５７の位置が溝部５４の一方の端部（図１２（ｄ）の左方端）に設定されている。
【００５４】
ここで、詳しくは後述するが、溝部突出部５７は、鍵の押鍵操作に応じて、ハンマー部材４０のハンマーキャップ５１が鍵のハンマー連結部２４、３４の貫通孔内で摺動する際に、ハンマー連結部２４の貫通孔内に突出して設けられた鍵側突出部２９、３６に所定のタイミングで所定の抵抗（摩擦抵抗）を有して接触するように、溝部５４内での設置位置や突出高さ、断面形状等が設定される。
【００５５】
なお、本実施形態においては、溝部突出部５７として、図１２（ａ）、（ｃ）に示すように、溝部５４の両端側に形成される端部側突出部５５相互を鍵の配列方向に連結したものを示したが、貫通孔内に突出して設けられた鍵側突出部２９、３６の位置や突出高さ、断面形状等に対応するように、少なくとも溝部５４において鍵の配列方向の中央付近に突出して設けられているものであればよい。また、溝部突出部５７は、ハンマーキャップ５１と同一の弾性部材により形成されているものであってもよいし、溝部突出部５７が別の特性（例えばハンマーキャップ５１よりも高い剛性）を有する部材により形成されているものであってもよい。
【００５６】
次に、上述したような鍵盤機構を備えた鍵盤楽器の動作について説明する。
図１３は、本実施形態に係る鍵盤楽器に適用される白鍵の鍵盤機構を示す概略断面図であり、図１４は、本実施形態に係る鍵盤楽器に適用される黒鍵の鍵盤機構を示す概略断面図である。ここで、図１３（ａ）〜（ｃ）は、白鍵におけるレットオフフィール前後における鍵盤機構の状態を示す図であり、図１４（ａ）〜（ｃ）は、黒鍵におけるレットオフフィール前後における鍵盤機構の状態を示す図である。なお、本実施形態において、押鍵操作を行っていない初期状態（上限位置）、及び、押鍵操作における鍵の下限位置については、上述した第１の実施形態に示した図３及び図４と同等であるので、図示を省略する。図１５は、本実施形態に係る鍵盤楽器に適用されるハンマー部材と鍵との連結状態を示す概略図である。ここで、図１５（ａ）〜（ｃ）は、白鍵におけるレットオフフィール前後における連結状態の変化を示す断面図であり、図１５（ｄ）〜（ｆ）は、黒鍵におけるレットオフフィール前後における連結構造の変化を示す断面図である。
【００５７】
本実施形態に係る鍵盤ユニットに適用される鍵盤機構は、図１３、図１４に示すように、上述した第１の実施形態に示した白鍵２０及び黒鍵３０と同等の鍵盤機構（図３、図４参照）において、図１２に示した溝部突出部５７が設けられたハンマーキャップ５１が、ハンマー部材４０の鍵連結部５０に適用されている。
【００５８】
本実施形態に係る鍵盤機構を備えた鍵盤楽器の動作は、上述した第１の実施形態と同様に、ユーザが押鍵操作を行っておらず、鍵が上限位置にある初期状態（図３（ａ）、図４（ａ））と、図１３、図１４に示すように、押鍵操作に伴って楽音の発音を開始する状態と、押鍵操作により鍵が下限位置に達した鍵下限状態（図３（ｂ）、図４（ｂ））と、の間を変化する。
【００５９】
ユーザが押鍵操作を行っていない初期状態においては、図３（ａ）、図４（ａ）に示した状態と同様に、ハンマー部材４０の錘部４６の重量により、ハンマー部材４０は、錘部４６が下限ストッパ部２２４に当接した下限位置に規制されるとともに、鍵連結部５０が鍵のハンマー押圧部２３、３３を押し上げることにより、白鍵２０及び黒鍵３０を上限位置（初期位置）に規制する。このとき、ハンマー部材４０の鍵連結部５０と白鍵２０及び黒鍵３０のハンマー連結部２４、３４との連結状態は、上述した第１の実施形態と同様に、鍵連結部５０のハンマーキャップ５１の端部側突出部５５の天面部分が、ハンマー連結部２４、３４の貫通孔の上側の内壁２４ａ、３４ａに接触した状態が保持される。また、ハンマーキャップ５１の底面に設けられる底面突出部５６が、ハンマー連結部２４、３４の貫通孔の下側の内壁２４ｃ、３４ｃに接触した状態が保持される。
【００６０】
この初期状態においては、ハンマー連結部２４、３４の貫通孔の上側の内壁２４ａ、３４ａに突出して設けられた鍵側突出部２９、３６は、ハンマーキャップ５１の天面５３に設けられた溝部５４ｂ内にあって、溝部５４ｂの内壁や溝部突出部５７には接触していない。
【００６１】
次いで、ユーザが押鍵操作を行い、楽音の発音が開始される状態においては、図１３、図１４に示すように、ハンマー部材４０の錘部４６が上昇して上限ストッパ部２２２に当接するまでの間に、白鍵２０及び黒鍵３０の下面側に設けられたスイッチ押圧部２２、３２により鍵盤シャーシ１０に取り付けられたスイッチ部１４が押圧されることにより、スイッチ部１４がオン動作してスイッチ信号が出力され、楽音情報が生成されてスピーカから楽音の発音が開始される。
【００６２】
このとき、ハンマー部材４０の鍵連結部５０と鍵のハンマー連結部２４、３４との連結状態は、まず、図１３（ａ）、図１４（ａ）及び図１５（ａ）、（ｄ）に示すように、少なくともハンマーキャップ５１の端部側突出部５５がハンマー連結部２４、３４の貫通孔の上側の内壁２４ａ、３４ａに摺接した状態で、ハンマーキャップ５１がハンマー連結部２４、３４の貫通孔内で摺動して、貫通孔に設けられた鍵側突出部２９、３６がハンマーキャップ５１の溝部５４ｂ側から鍵の長手方向に溝部突出部５７に当接する。
【００６３】
次いで、図１３（ｂ）、図１４（ｂ）及び図１５（ｂ）、（ｅ）に示すように、ハンマーキャップ５１がハンマー連結部２４、３４の貫通孔内でさらに摺動すると、鍵側突出部２９、３６が溝部突出部５７に乗り上げて、鍵連結部５０を押し下げる方向に圧接する。この状態においては、貫通孔に設けられた鍵側突出部２９、３６は、ハンマーキャップ５１の溝部５４ｂ側から溝部突出部５７に接触して所定の抵抗を生じる。
【００６４】
具体的には、鍵側突出部２９、３６は溝部突出部５７に対して溝部５４ｂ側から当接した状態から、溝部突出部５７の表面に沿って摺接しながら乗り上がる。これにより、鍵側突出部２９、３６と溝部突出部５７との間に摩擦抵抗が生じるとともに、鍵連結部５０が押し下げられてハンマーキャップ５１の底面突出部５６がハンマー連結部２４、３４の貫通孔の下側の内壁２４ｃ、３４ｃに摺接した状態で、ハンマーキャップ５１が貫通孔内で摺動する。このとき、ハンマーキャップ５１の溝部突出部５７は、鍵側突出部２９、３６により圧接されて、突出頂点付近を中心にして変形が生じる。
【００６５】
次いで、図１３（ｃ）、図１４（ｃ）及び図１５（ｃ）、（ｆ）に示すように、ハンマーキャップ５１がハンマー連結部２４、３４の貫通孔内でさらに摺動すると、鍵側突出部２９、３６が溝部突出部５７を乗り越える。この状態においては、貫通孔に設けられた鍵側突出部２９、３６は、溝部突出部５７との間に生じていた抵抗から一気に開放される。このとき、ハンマー押圧部２３、３３及び鍵連結部５０に衝撃が生じて、ハンマー押圧部２３、３３を介して白鍵２０及び黒鍵３０の上面２１、３１に指を載せているユーザに、クリック感として伝達される。
【００６６】
すなわち、鍵側突出部２９、３６が、図１５（ａ）、（ｄ）に示したように溝部突出部５７に当接した状態から、図１５（ｂ）、（ｅ）に示したように溝部突出部５７に乗り上げる際に、ユーザが白鍵２０及び黒鍵３０を押鍵する荷重（アクション荷重）が増加して、溝部突出部５７の突出頂点付近で当該荷重が最大となり、図１５（ｃ）、（ｆ）に示したように溝部突出部５７を乗り越えることにより当該荷重が減少することによりクリック感が生じる。このクリック感は、アコースティックピアノ等を演奏する際に、鍵盤をゆっくり押し込んだときに感じる独特の操作感である、レットオフフィールに相当するものである。すなわち、電子鍵盤楽器において、アコースティックピアノと同様の鍵盤の操作感（レットオフフィール）が再現される。
【００６７】
ここで、図１５に示したように、貫通孔に設けられた鍵側突出部２９、３６が溝部突出部５７に接触するタイミングは、図１３、図１４に示したように、押鍵操作において、上述した楽音の発音開始のタイミングの前後から鍵下限状態に至るまでの期間に設定される。具体的なタイミングの設定方法は、溝部５４の鍵の長手方向（又は、天面５３の湾曲方向）における溝部突出部５７の設置位置や断面形状、又は、貫通孔の貫通方向（鍵の長手方向）における鍵側突出部２９、３６の設置位置や断面形状等のうち、少なくともいずれかを調整することにより実現される。これにより、楽音の発音開始のタイミングの前後から鍵下限状態に至るまでの期間のうちの、任意のタイミングで鍵側突出部２９、３６を溝部突出部５７に接触させて、ユーザにクリック感を伝達することができる。
【００６８】
また、鍵側突出部２９、３６が溝部突出部５７に接触した際にユーザに伝達されるクリック感は、鍵側突出部２９、３６が溝部突出部５７に接触した際に生じる抵抗の大きさや性質等により設定される。具体的なクリック感の調整方法は、溝部５４に設けられる溝部突出部５７の突出高さや断面形状、材質（硬度）、又は、貫通孔に設けられる鍵側突出部２９、３６の突出高さや断面形状、材質（硬度）等のうち、少なくともいずれかを調整することにより実現される。これにより、ユーザに伝達されるクリック感の強弱等の感触を任意に設定することができる。
【００６９】
また、鍵側突出部２９、３６が溝部突出部５７に接触した後、乗り越える際には、鍵連結部５０をハンマー連結部２４、３４の貫通孔の下側の内壁２４ｃ、３４ｃに押し付ける方向に力が生じる。本実施形態においては、ハンマーキャップ５１の底面に、ハンマー連結部２４、３４の貫通孔の貫通方向に連続して突出する底面突出部５６を設けていることにより、ハンマーキャップ５１の底面と貫通孔の下側の内壁２４ｃ、３４ｃとの間に大きな摩擦抵抗が生じないようにして、ハンマー連結部２４、３４の貫通孔内で鍵連結部５０のハンマーキャップ５１を円滑に摺動させることができる。
【００７０】
次いで、ユーザが鍵をさらに押し込むと、図３（ｂ）、図４（ｂ）に示した状態と同様に、ハンマー部材４０の錘部４６がさらに上昇して上限ストッパ部２２２に当接して上限位置が規制されるとともに、白鍵２０及び黒鍵３０の下限位置が規制される鍵下限状態に移行する。このとき、ハンマー部材４０の鍵連結部５０と鍵のハンマー連結部２４、３４との連結状態は、上述した第１の実施形態と同様に、ハンマーキャップ５１の端部側突出部５５及び底面突出部５６がハンマー連結部２４、３４の貫通孔の上側の内壁２４ａ、３４ａ及び下側の内壁２４ｃ、３４ｃに摺接した状態で、ハンマーキャップ５１が貫通孔内で摺動する。
【００７１】
また、この鍵下限状態においては、貫通孔に設けられた鍵側突出部２９、３６がハンマーキャップ５１の溝部突出部５７を乗り越えて、溝部５４ａ内にあって、溝部５４ａの内壁や溝部突出部５７には接触していない、又は、抵抗や応力を生じることなく接触している。その後、ユーザが押鍵操作を終了すると、ハンマー部材４０の錘部４６が下降することにより鍵連結部５０が鍵のハンマー押圧部２３、３３を押し上げ、錘部４６が下限ストッパ部２２４に当接することにより、白鍵２０及び黒鍵３０が上限位置である初期位置に再び規制される。
【００７２】
このような押鍵操作に応じたハンマー部材４０の鍵連結部５０と鍵のハンマー連結部２４、３４との連結状態の変化により、上述した第１の実施形態と同様に、ハンマー連結部２４、３４の貫通孔内で、ハンマー部材４０の鍵連結部５０のハンマーキャップ５１を安定かつ円滑に摺動させることができるので、押鍵時の異常な振動や異音等の不具合の発生を抑制しつつ、ハンマー部材４０の回動時における横ブレを抑制して押鍵操作に伴う力を適切にハンマー部材４０に伝達することができる。また、ユーザが鍵を強打した場合等においても、ハンマーキャップ５１に設けられた端部側突出部５５により衝撃が吸収又は緩和されるので、ハンマーキャップ５１の変形や回転、脱落等を抑制することができる。
【００７３】
加えて、本実施形態においては、ハンマーキャップ５１の天面５３の溝部５４内に溝部突出部５７が設けられ、押鍵操作に伴うハンマー連結部２４、３４の貫通孔内でのハンマーキャップ５１の摺動時に、貫通孔内に設けられた鍵側突出部２９、３６が端部側突出部５５に接触することにより生じる抵抗をユーザにクリック感として伝達することにより、電子鍵盤楽器において、アコースティックピアノと同様の鍵盤の操作感（レットオフフィール）を再現することができる。
【００７４】
また、本実施形態においては、ハンマーキャップ５１の天面５３に設けられた溝部５４が溝部突出部５７により分割されるとともに、各溝部５４ａ、５４ｂが端部側突出部５５及び溝部突出部５７からなる壁面で囲まれているので、溝部５４ａ、５４ｂを潤滑剤溜まりとして適用した場合に、充填された潤滑剤の流出を良好に防止することができる。
【００７５】
さらに、本発明においては、上述した第１及び第２の本実施形態に示したように、ハンマーキャップ５１における溝部突出部５７の有無という部品形状の僅かな変更により、異なる鍵盤の操作感（レットオフフィールの有無）を設定することができるので、部品点数の増加や製造工程の変更を招くことなく、簡易に仕様や特徴の異なる製品群を提供することができる。
【００７６】
以上、本発明のいくつかの実施形態について説明したが、本発明は、上述した実施形態に限定されるものではなく、特許請求の範囲に記載された発明とその均等の範囲とを含むものである。
以下に、本願出願の当初の特許請求の範囲に記載された発明を付記する。
【００７７】
（付記）
［１］
鍵ごとに、一端側に、前記鍵に接触することによって押鍵時に押し下げられる接触部材を有する力点部が設けられ、他端側に、前記押鍵される前記鍵に対して荷重を加える錘部が設けられているハンマー部材を備え、
前記接触部材は、前記押鍵時に前記鍵に接触することがないように上面に前記鍵の長手方向に沿って設けられている溝部と、前記鍵の配列方向における前記溝部の両端側に、前記押鍵時に前記鍵に接触するように前記溝部より上方に突出している両端部と、を有していることを特徴とする鍵盤楽器。
【００７８】
［２］
［１］に記載の鍵盤楽器において、
前記鍵は、前記押鍵時に前記接触部材の前記両端部を押し下げる押下部を有することを特徴とする鍵盤楽器。
【００７９】
［３］
［２］に記載の鍵盤楽器において、
前記鍵は、前記押下部における前記鍵の配列方向の中央に、前記鍵の長手方向に沿って連続して突出する鍵側突出部を有することを特徴とする鍵盤楽器。
【００８０】
［４］
［３］に記載の鍵盤楽器において、
前記接触部材における前記溝部内に、前記押鍵時に前記鍵側突出部と接触する中央突出部を有していることを特徴とする鍵盤楽器。
【００８１】
［５］
［４］に記載の鍵盤楽器において、
前記接触部材の前記中央突出部は、前記鍵の配列方向に沿って連続して突出し、前記両端部相互を連結することにより、前記溝部を第１溝部と、第２溝部と、に分割することを特徴とする鍵盤楽器。
【００８２】
［６］
［４］に記載の鍵盤楽器において、
前記接触部材の前記中央突出部は、前記上面における前記鍵の長手方向の一方側の端部に設けられていることを特徴とする鍵盤楽器。
【００８３】
［７］
［２］から［６］のいずれかに記載の鍵盤楽器において、
前記接触部材の前記上面は、湾曲面を有し、前記押鍵時に前記鍵の前記押下部が押し下げる前記接触部材の前記両端部の位置が変化することを特徴とする鍵盤楽器。
【００８４】
［８］
［１］から［７］のいずれかに記載の鍵盤楽器において、
前記鍵は、白鍵又は黒鍵であって、
前記白鍵に対応する前記ハンマー部材に用いられる前記接触部材と、前記黒鍵に対応する前記ハンマー部材に用いられる前記接触部材とは、異なる形状を有していることを特徴とする鍵盤楽器。
【符号の説明】
【００８５】
１０      鍵盤シャーシ
１２      ハンマーユニット
２０      白鍵
２４、３４      ハンマー連結部（押下部）
２３、３３      ハンマー押圧部（押下部）
２９、３６      鍵側突出部
３０      黒鍵
４０      ハンマー部材
４４      ハンマー本体
４６      錘部
４８      キャップ取付け部
５０      鍵連結部（力点部）
５１      ハンマーキャップ（接触部材）
５２      開口部
５３      天面
５４      溝部
５４ａ    溝部（第１溝部）
５４ｂ    溝部（第２溝部）
５５      端部側突出部（両端部）
５６      底面突出部
５７      溝部突出部（中央突出部）
６０      ハンマーホルダ
１００    鍵盤楽器
１０２    楽器本体
１０４    鍵盤ユニット
【図１】
2020064183.tif 000003
【図２】
2020064183.tif 000004
【図３】
2020064183.tif 000005
【図４】
2020064183.tif 000006
【図５】
2020064183.tif 000007
【図６】
2020064183.tif 000008
【図７】
2020064183.tif 000009
【図８】
2020064183.tif 000010
【図９】
2020064183.tif 000011
【図１０】
2020064183.tif 000012
【図１１】
2020064183.tif 000013
【図１２】
2020064183.tif 000014
【図１３】
2020064183.tif 000015
【図１４】
2020064183.tif 000016
【図１５】
2020064183.tif 000017